(57)【特許請求の範囲】
【請求項１】
挿入部に湾曲管部を有し、この湾曲管部は、湾曲用芯材と、この湾曲用芯材の外周に被嵌されるブレードを有するブレード部組とを備えてなり、前記ブレード部組の端部の固定部が挿入部の固定側部材に対して着脱自在に固定される内視鏡において、
前記ブレード部組の前記固定部にその内径寸法を変化させる手段が設けられていることを特徴とする内視鏡。
【発明の詳細な説明】
【０００１】
【発明の属する技術分野】
本発明は、湾曲用芯材の外周にブレードが被嵌されて成る湾曲管部を挿入部に有する内視鏡に関する。
【０００２】
【従来の技術】
一般に、内視鏡は操作部と長尺な挿入部とを有して成り、挿入部は、操作部側から順次、可撓管部と、湾曲管部と、先端部とが連結されて構成されている。前記湾曲管部は、湾曲用芯材の外周に筒状のブレード（網管）を被嵌し、ブレードの外周に外皮を被嵌して構成されている。この湾曲管部は、例えば、前記操作部に設けられた操作ノブによる操作で操作ワイヤを押し引きすることにより、湾曲されるようになっている。
【０００３】
例えば特開平４−３５７９２１号公報に開示された技術において、前記ブレードは、その両端部に設けられる固定部とともにブレード部組を構成し、前記固定部を用いて湾曲用芯材や接続管等の固定側部材の外周に着脱自在に固定される。
【０００４】
【発明が解決しようとする課題】
ところで、特開平４−３５７９２１号公報に開示された技術おいては、湾曲管部よりも先端側にある例えば先端カバー等の外径が、ブレード部組の固定部が固定される固定側部材の外径すなわちブレード部組の固定部の内径よりも大きい場合には、ブレード部組を交換するためにブレード部組を内視鏡の先端側から前記固定側部材に対して被装しようとしても、ブレード部組が先端カバー等の大径部材を通過することができない。すなわち、ブレード部組を固定側部材に組付けることができない。そのため、ブレード部組を交換するためには、内視鏡挿入部を分解するか、あるいは、先端カバーなどの部品を外さなければならない。しかし、先端カバーはレンズ等と接着されているため、先端カバーを外そうとすると、レンズを破損させる虞がある。
【０００５】
また、先端カバーなどの部品を外すことなくブレード部組を交換できるように、ブレード部組が固定される固定側部材の外径を先端カバー等の外径よりも大きく設定すると、湾曲管部の外径が非常に太くなり、被検査部位への内視鏡の挿入が困難になったり、患者に苦痛を与えたりする可能性がある。
【０００６】
本発明は前記事情に着目してなされたものであり、その目的とするところは、挿入部の外径を太くすることなく、また、先端カバーを外すことなく、ブレード部組を簡単に交換することができる内視鏡を提供することにある。
【０００７】
【課題を解決するための手段】
前記課題を解決するために、本発明は、挿入部に湾曲管部を有し、この湾曲管部は、湾曲用芯材と、この湾曲用芯材の外周に被嵌されるブレードを有するブレード部組とを備えてなり、前記ブレード部組の端部の固定部が挿入部の固定側部材に対して着脱自在に固定される内視鏡において、前記ブレード部組の前記固定部にその内径寸法を変化させる手段が設けられていることを特徴とする。
【０００８】
【発明の実施の形態】
以下、図面を参照しながら本発明の実施形態について説明する。
【０００９】
図１〜図８は本発明の第１の実施形態を示している。図１は本実施形態に係る内視鏡とその周辺装置の構成を概略的に示している。図中、１はビデオ式の内視鏡、２は光源装置、３はビデオプロセッサ、４はモニタ、５はＶＴＲデッキ、６はビデオプリンタ、７はビデオディスクである。
【００１０】
内視鏡１は体腔内に挿入可能な細長で可撓性を有する挿入部８と、この挿入部８の基端に連接された操作部９と、この操作部９の側面に連接されたユニバーサルコード１４とを有する。ユニバーサルコード１４の延出先端にはコネクタ装置１６が設けられている。挿入部８は基端側から可撓管部１１と湾曲管部１２と先端部１３とが順次配置されて成り、先端部１３には後述するノズル５６（図６参照）、照明レンズ、撮像ユニット等が配設されている。
【００１１】
コネクタ装置１６は、光源装置２のコネクタ受け１５に接続されるとともに、ケーブル１７を介してビデオプロセッサ３に接続される。そして、コネクタ装置１６を介して内視鏡１の後述する固体撮像素子の出力信号がビデオプロセッサ３に供給されるとともに、ビデオプロセッサ３で処理された画像がモニタ４に出力され或いはＶＴＲデッキ５に記録され或いはビデオプリンタ６に出力されるようになっている。また、光源装置２の内部に設けられる光源ランプ１８からの照明光は、レンズ１９を介して、ユニバーサルコード１４と操作部１２と挿入部１１とにわたって延設されたライトガイド（図示せず）に導入され、先端部１３に設けられた照明レンズ（図示せず）を介して体腔内の被観察部位へ向けて照射される。
【００１２】
また、操作部９には、後述する鉗子チャンネル３６（図２参照）に連通する鉗子挿入口部２２と、後述する操作ワイヤ４６（図２参照）を介して湾曲管部１２を遠隔的に湾曲操作するためのアングルノブ２１とが設けられている。アングルノブ２１にて湾曲管部１２を湾曲させることにより、挿入部８の先端部１３を被観察部位へ指向させることができる。
【００１３】
また、操作部９の手元側端部の前面部分には、送気送水切換え弁の操作ボタン２３と吸引切換え弁の操作ボタン２４とが並んで設けられている。そして、各操作ボタン２３，２４を選択的に押圧する操作を行なうことにより、送気、送水または吸引の動作を制御することができる。
【００１４】
また、操作部９の手元側端には、裁頭角錐様の略立方体形状に形成されたスイッチボックス２５が設けられている。このスイッチボックス２５の３つの側面と上（頂）面で形成する取付け面には１個づつ押ボタンが配設されている。各取付け面にそれぞれ個別に設けられた押ボタンを選択的に押圧操作することにより、フリーズ操作、アイリス調整、画像強調、コントラスト調整等の内視鏡観察画像を調整する動作が行なわれる。
【００１５】
図２は、先端部１３および湾曲管部１２の構造を示している。図示のように、挿入部８の長手軸方向に沿って並べた複数の湾曲用駒４１を軸ピン４５を介して順次枢着することによって、全体として上下左右に湾曲する湾曲用芯材４２が構成されている。この湾曲用芯材４２の外周には、多数の金属素線（ステンレス鋼線など）を編成して円筒状に構成した伸縮性のブレード４３が被嵌されている。ブレード４３の外周には外皮４４が被覆されている。外皮４４の先端は、挿入部８の先端部１３を形成する先端部本体３１に糸４８によって固定されている。また、この固定部位には接着剤４９が塗布されている。また、先端部本体３１の先端は絶縁性の先端カバー３５によって被覆されている。
【００１６】
図３に詳しく示されるように、ブレード４３の両端には、固定部として例えば金属製の短管からなるリング５１，５２が接着または半田等の手段で固着されている。そして、このブレード４３とリング５１，５２とによってブレード部組５３が構成されている。先端に位置するリング５１の外方端部はブレード４３の先端から露出しており、この露出部分にはビス等の固定ねじ５４が挿入される固定用孔が少なくとも１つ以上設けられている。
【００１７】
図２に示すように、ブレード部組５３の先端側のリング５１は、固定側部材である先端部本体３１の基端部の固定位置８２の外周に密に被嵌され、その固定用孔に通される固定ねじ５４が先端部本体３１にねじ込まれることにより先端部本体３１に固着される。また、ブレード部組５３の基端側のリング５２も、例えば湾曲用芯材４２の手元側端部外周に同様にして固着される。
【００１８】
また、挿入部８内には、湾曲管部１２を湾曲操作するための複数の操作ワイヤ４６が配設されている。各操作ワイヤ４６は、可撓管部１１の内部においては密巻きコイルからなるワイヤガイドによって案内され、湾曲管部１２内においては湾曲用駒４１の内面に設けられたワイヤガイド４７によって案内される。各操作ワイヤ４６の先端は、最先端の湾曲用駒４１ａにろう付け固定されている。
【００１９】
また、先端部１３を形成する先端部本体３１には、レンズ枠３３によって保持された対物レンズ３２、固体撮像素子を有する撮像ユニット部３４、鉗子チャンネル３６等が設けられている。鉗子チャンネル３６はチャンネルチューブ３９によって構成されており、チャンネルチューブ３９の先端は先端部本体３１に固着された接続パイプ３７に接続されている。なお、接続パイプ３７は、先端部本体３１に形成された貫通孔３８内に嵌入されている。
【００２０】
図２に示されるように、ブレード部組５３の先端側のリング５１が固定される先端部本体３１の固定位置８２における外径はｄに設定されている。また、固定位置８２よりも先端側の最大径すなわち先端カバー３５の外径はＤ（＞ｄ）に設定されている。また、ブレード部組５３の手元側のリング５２が固定される湾曲用芯材４２の手元側端部の外径もｄに設定されている。また、湾曲用芯材４２の外径は、先端部本体３１に固定される一端部およびリング５２が接続される他端部を除いて、ｄ以下に設定されている。
【００２１】
図３に示されるように、ブレード部組５３のリング５１，５２は、その円周方向の一部が切り離されている。すなわち、リング５１，５２には、その軸方向の全長にわたって延びるスリット６２が形成されている。
【００２２】
リング５１，５２は、ブレード４３に固着されていない単体の状態では、図４の（ａ）に示すように、その内径がｄ１（＝ｄ）となる。また、リング５１，５２は、図４の（ｂ）に示されるようにその内径が広げられた状態で、ブレード４３と組み合わされる。すなわち、リング５１，５２にブレード４３を固着させる場合には、まず、外径がｄ２（＞Ｄ＞ｄ）の芯棒を用意し、この芯棒の外周にリング５１、５２を広げて被せる。次に、このように内径がｄ２まで広げられた状態のリング５１，５２の上からブレード４３を被せる。そして、最後に、周方向の所定の範囲Ａすなわちスリット６２の両側に位置するリング５１，５２の両端部を除いて、リング５１，５２とブレード４３とを半田等で固着させる。
【００２３】
また、ブレード４３が固着されたリング５１，５２（ブレード部組５３）は、図４の（ｃ）に示されるようにその内径がｄ２からｄ３（＝ｄ１）まで縮小された状態で、内視鏡１に組付け固定される。具体的には、リング５１は、これが固定される先端部本体３１の固定位置８２における外径ｄに合わせて内径がｄ２からｄ３（＝ｄ１＝ｄ）まで縮小され、その縮小状態で先端部本体３１の固定位置８２にネジ５４により固定される。なお、この固定に際し、リング５１は、スリット６２が形成された部位を含む範囲Ａが固着されていないため、容易にその内径を縮小することができる。無論、リング５１の径が縮小すると、ブレード４３は図４の（ｃ）に示されるようにスリット６２が形成された部位で弛んだ状態となる。また、基端側のリング５２もリング５１と同様にして取り付けられる
図２に示されるように、最先端の湾曲駒４１ａは、先端部本体３１の嵌合部８１に嵌合された状態で図示しないネジにより固定される。この場合、湾曲駒４１（４１ａ）の外径は、ブレード部組５３のリング５１が固定される先端部本体３１の固定位置８２の外径ｄと略同一に設定されるが、湾曲駒４１は、バイプ材を加工して成形するため、嵌合部８１に嵌合される部位の内径の寸法公差とバイプ材の肉厚の寸法公差とが積算されることにより、外径の最大と最小の差が大きくなってしまう。そのため、嵌合部８１に被嵌された湾曲駒４１ａの外周にリング５１をネジ５４によって固定しようとすると、リング５１と湾曲駒４１ａとの間にクリアランス８３が生じる可能性があり、リング５１が歪んで取付く場合がある。また、このようにリング５１が歪んで取付くと、リング５１の先端までブレード４３が被覆されていないため、薄肉の金属であるリング５１の先端がエッジとなって弾性ゴム等からなる外皮４４の内面を傷付けてしまう虞もある。そこで、本実施形態では、こうした問題を回避するため、先端部本体３１の固定位置８２すなわち湾曲駒４１ａから先端側にずれた位置（外径寸法精度を高くできる位置）でリング５１が固定されている。
【００２４】
図６は先端部１３のノズル取り付け部を示している。図示のように、ノズル５６は金属パイプを曲げ加工して形成されている。また、曲げ加工を行なう前に、金属パイプの内面にフッ素樹脂含有無電解ニッケルメッキが施してある。フッ素樹脂を含有しているため、撥水性が高く、汚物や水滴が付きにくく、また、ノズル５６の詰まりを防ぐことができる。
【００２５】
先端部本体３１と先端カバー３５の前面にはそれぞれノズル用孔６３，６４が設けられ、これらの孔６３，６４にはノズル５６が嵌装されている。また、先端部本体３１と先端カバー３５の側面にはそれぞれネジ穴６５と貫通孔６６とが設けられている。貫通孔６６はネジ穴６５に連通し、ネジ穴６５はノズル用孔６３に連通している。
【００２６】
ノズル５６は、その先端が洗浄対象である対物レンズ３２に向けられるようにノズル用孔６３，６４内に嵌入されるとともに、ネジ穴６５にねじ込まれたネジ５７の先端によってその基端部周面が押し付けられて変形されることにより固定される。したがって、ノズル５６は、ネジ５７によって軸方向の移動および回転が規制される。
【００２７】
なお、ネジ穴６５および貫通孔６６には、ネジ５７の抜けを防止するために、接着剤５８が充填される。また、先端部１３の先端面におけるノズル５６の周囲には、汚物等が溜まる隙間を設けないように、接着剤６７が充填される。。
【００２８】
図７は，内視鏡１の鉗子挿入口部２２とこれに装着した鉗子栓１１２とを示している。また、図８は、鉗子栓１１２にコイルシースの鉗子１２１を挿通した状態を示している。
【００２９】
図７に示されるように、鉗子栓１１２の本体１１３の側部には側部口１１４が形成されており、この側部口１１４には口金１１５が取り付けられている。口金１１５の接続端部１１８はルアー形状に形成されており、接続端部１１８に例えばシリンジ１１９を接続することができるようになっている。鉗子栓１１２の蓋部１１６にはスリット１１７が設けられており、蓋部１１６の手前側には、挿入部８の鉗子チャンネル３６内に挿通される鉗子１２１を被覆するためのチューブ１２０（薄肉のシリコン等からなる）が一体に設けられている。
【００３０】
なお、鉗子１２１をチューブ１２０内に挿通する時には、その挿通を容易にするために、チューブ１２０を図７に示されるように弛ませてその全長を縮小させる。また、シリンジ１１９を介して挿入部８内に水を供給する送水時には、鉗子１２１からの水漏れを防止するために、図８に示されるようにチューブ１２０を伸ばして鉗子１２１に密着させる。図８に示されるように、鉗子１２１を鉗子栓１１２の本体１１３に挿通してシリンジ１１９により送水を行なう場合、鉗子１２１がコイルシースから構成されていると、コイルの隙間から内部に浸入した水がコイルシースを管路として逆流する場合がある。こうした場合に何ら対策を講じていないと、コイルシースを曲げた際に、鉗子挿入口部２２よりも手前側で、コイルの隙間から逆流した水がこぼれて患者やベッドなどの周囲を濡らしてしまうことがある。しかし、本実施形態の構成では、チューブ１２０が鉗子１２１に密着されてあるため、鉗子１２１を曲げた時に生じる隙間からの水漏れはない。
【００３１】
シリンジ１１９を口金１１５に取り付ける際の力によって鉗子栓１１２の本体１１３が鉗子挿入口部２２から外れないように、鉗子栓１１２の本体１１３には、図８に示されるように、輪状の保持部材１２２が設けられている。この保持部材１２２は、その輪の内側に挿入部８および操作部９を挿通させることにより、鉗子栓１１２の本体１１３を鉗子挿入口部２２に保持する。
【００３２】
次に、ブレード部組５３を内視鏡１に組み付ける場合について説明する。
【００３３】
まず、図５の（ａ）に示されるように、スリット６２によって切り離されたリング５１，５２の両端部の少なくとも一方の角部６１の内面に瞬間接着剤や半田などを点付けし、湾曲用芯材４２にブレード部組５３を予め仮固定した部組を作る。次に、この部組の内側に、処置具挿通用チャンネル３６、撮像ユニット部３４に接続されたケーブル（図示せず）、ライトガイドファイバー（図示せず）、送気送水用チューブ（図示せず）などの内蔵物を通して組立てる。続いて、リング５１，５２のスリット６２に工具を差し込んで仮固定を外し、リング５１，５２を固定側部材である先端部本体３１および湾曲用芯材４２の基端部にネジ５４により固定する。この場合、リング５１，５２は、前述したようにスリット６２によって切り離された両端部同士が突き当たるまでその内径を縮めることができる（ｄ１，ｄ３よりも小さい内径まで縮めることができる）ため、固定側部材に対して容易に取り付く。
【００３４】
このような組立手順（言い換えれば、湾曲管部とブレードとに同時に内蔵物を通して組立て可能なこと）は、ブレード交換ができない湾曲管部を備えた内視鏡も含めて全て統一されることが望ましい。本構成では、仮固定およびその取り外しが容易に行なえるため、ブレード交換ができない湾曲管部を備えた従来の内視鏡と同様の組立てが行なえる。
【００３５】
なお、前記仮固定は、角部６１を用いて行なわなくても良い。すなわち、図５の（ｂ）に示されるように、リング５１に凸部６８を設け、この凸部６８の内面に瞬間接着剤や半田等を点付けして行なっても良い。この場合、リング５１と湾曲駒４１ａとの間の固着されていない隙間６９に工具を差し込めば、仮固定を容易に取り外すことができる。
【００３６】
一方、内視鏡の修理時に外皮４４を外した際、ブレード４３が損傷していた場合には、ネジ５４を取り外してブレード部組５３を交換する必要がある。本実施形態の場合、リング５１，５２の内径を先端カバー３５の外径Ｄ以上まで（最大ｄ２まで）広げることができるとともに、リング５１，５２間に位置するブレード４３の内径をｄ２以上に広げることができるため、ブレード部組５３の交換作業は非常に容易である。すなわち、リング５１，５２の内径を先端カバー３５を乗り越えられるＤ以上まで広げて、ブレード部組５３を先端側に抜き取れば良い。
【００３７】
また、新しいブレード部組５３を取り付ける場合にも、同様にして、リング５１，５２の内径をＤ以上に広げて、リング５１，５２を先端カバー３５に通し、ブレード部組５３を湾曲用芯材４２に被せてネジ５４にて取り付ければ良い。なお、このような交換作業は、リング５１，５２の内径をｄ２に保持し得る工具を使用することにより、さらに容易となる。
【００３８】
以上説明したように、本実施形態の内視鏡１は、ブレード部組５３の固定部であるリング５１，５２にその内径寸法を変化させる手段が設けられている。すなわち、リング５１，５２にスリット６２が設けられ、リング５１，５２とブレード４３は、その一部に、互いに固着されていない部分Ａを有する。したがって、リング５１，５２の内径を容易に拡縮することができるため、挿入部８の外径を太くすることなく、また、先端カバー３５を外すことなく、ブレード部組５３を簡単に交換することができる。
【００３９】
図９〜図１３は本発明の第２の実施形態を示している。なお、本実施形態において第１の実施形態と共通する部分については同一符号を付してその説明を省略する。
【００４０】
図９は挿入部８の先端部１３付近の断面構造を示している。また、図１０は本実施形態に係るブレード部組７１を示している。図１０に示されるように、ブレード部組７１は、弾性を有する樹脂製のリング７２，７３が樹脂製のブレード７０の両端に弾性接着剤等によって固着されることにより構成されている。第１の実施形態と同様、リング７２，７３にはその円周方向の一部を切り離すようにスリット６２が形成されている。
【００４１】
図９に示されるように、ブレード部組７１の先端側のリング７２が固定される先端部本体３１の固定位置における外径はｄ’（＜ｄ）に設定されている。また、この固定位置よりも先端側の最大径すなわち先端カバー３５の外径はＤ（＞ｄ’）に設定されている。また、先端部本体３１の前記固定位置に嵌着される湾曲駒４１ａの内径もｄ’に設定されている。また、ブレード部組７１の手元側のリング７３が固定される湾曲用芯材４２の手元側端部の外径はｄに設定されている。また、湾曲用芯材４２の外径は、先端部本体３１に固定される一端部およびリング７３が接続される他端部を除いて、ｄ以下に設定されている。
【００４２】
リング７２，７３は、ブレード７０に固着されていない単体の状態では、図１１の（ａ）に示すように、その内径がｄ１’（＝ｄ’）となる。また、リング７２，７３は、図１１の（ｂ）に示されるようにその内径が広げられた状態で、ブレード７０と組み合わされる。すなわち、リング７２，７３にブレード７０を固着させる場合には、まず、外径がｄ２’（＞Ｄ＞ｄ’）の芯棒を用意し、この芯棒の外周にリング７２、７３を広げて被せる。次に、このように内径がｄ２’まで広げられた状態のリング７２，７３の上からブレード７０を被せる。そして、最後に、周方向の所定の範囲Ｂすなわちスリット６２の両側に位置するリング７２，７３の両端部を除いて、リング７２，７３とブレード７０とを半田等で固着させる。この状態で、芯棒を抜くと、図１１の（ｃ）に示されるように、リング７２，７３はその弾性によって内径が元のｄ１’（＝ｄ３’）に戻る（無論、この場合、ブレード７０はスリット６２が形成された部位で弛んだ状態となる）。この内径ｄ１’は湾曲用芯材４２（湾曲駒４１ａ）の内径ｄ’と同一である。したがって、ブレード部組７１を内視鏡１に組付ける場合、リング７２は、湾曲用芯材４２に被せられず、図９に示されるように湾曲駒４１ａよりも先端側の位置で固定される。この場合、リング７２の軸方向の移動は、湾曲駒４１ａの先端と先端部本体３１の段差７４とによって規制される。また、リング７２の径方向の移動は外皮４４の被着によって規制される。
【００４３】
なお、リング７２，７３とブレード７０は、型により一体的に成形したものでも良い。一体的に成形すれば、半田や接着などの作業が不要になり、安価に作ることができる。
【００４４】
図１２は先端部１３のノズル取り付け部を示している。図示のように、ノズル５６の直線部の外周には樹脂製の絶縁リング７５が被嵌されている。ノズル５６は、その先端が洗浄対象である対物レンズ３２に向けられるようにノズル用孔６３，６４内に嵌入されるとともに、ネジ穴６５にねじ込まれたネジ５７の先端によって絶縁リング７５が押し付けられて（ネジ５７が食い込んで）変形されることにより固定される。したがって、ノズル５６は、ネジ５７によって軸方向の移動および回転が規制される。
【００４５】
図１３は、内視鏡１の鉗子挿入口部２２とこれに装着される鉗子口分岐アダプタ１２４とを示している。図示のように、鉗子口分岐アダプタ１２４のアダプタ本体１２６には、アダプタ本体１２６内で合流する２つの鉗子挿入孔１２７，１２８が別々に形成されている。アダプタ本体１２６は鉗子挿入口部２２に止めネジ１２５で固定されている。これにより、二つの鉗子挿入孔１２７，１２８が鉗子チャンネル３６に連通される。なお、鉗子口分岐アダプタ１２４は、鉗子挿入口部２２に着脱できるため、新しい内視鏡を購入せずに従来の内視鏡に使用することも可能である。
【００４６】
２つの鉗子挿入孔１２７，１２８に連通するアダプタ本体１２６の手元側の各口部にはそれぞれ鉗子栓１２９，１３０が装着されている。したがって、２つの鉗子栓１２９，１３０から鉗子や高周波処置具などを同時に挿入して複雑な処置を行なうことができる。また、鉗子栓１３０の蓋部１３１には筒部１３２が設けられ、筒部１３２の側部には側部口１３３が形成されている。また、側部口１３３には口金１３４が取り付けられている。また、筒部１３２は、側部口１３３より手元側で曲がっている。口金１３４にはチューブ１３５が取付けられ、チューブ１３５の他端は漏れ出した水を回収する回収部としての吸引器（図示せず）に接続されている。なお、回収部は、吸引器でなく、回収用の容器や風船状の袋などであっても良い。
【００４７】
図１３に示されるように、鉗子１２１を蓋部１３１に挿通して、シリンジ１１９などを用いて鉗子栓１２９から送水を行なう場合、鉗子１２１がコイルシースから構成されていると、コイルの隙間から内部に浸入した水がコイルシースを管路として逆流する場合がある。こうした場合に何ら対策を講じていないと、コイルシースを曲げた際に、鉗子挿入口部２２よりも手前側で、コイルの隙間から逆流した水がこぼれて患者やベッドなどの周囲を濡らしてしまうことがある。しかし、本実施形態の構成では、チューブ１３５に接続された吸引器よって水が吸引されるため、鉗子１２１を曲げた時に生じる隙間からの水漏れはない。
【００４８】
以上説明した本実施形態において、ブレード部組７１は、リング７２，７３の内径を弾性的に拡縮することにより、第１の実施形態と同様にして内視鏡１に対して着脱される。この場合、リング７２，７３の内径は最大ｄ２’まで広がることができ、また、所定の範囲Ｂでは固着されていないブレード７０が弛むことができ、また、リング７２，７３は、スリット６２によって切り離された両端部同士が突き当たるまでその内径を縮めることができる（ｄ１’，ｄ３’よりも小さい内径まで縮めることができる）。第１の実施形態と異なる本実施形態の有利な点は、ネジ５４などの固定用部材が不要である点と、リング７２を湾曲用芯材４２に被嵌して固定しないため、挿入部８の外径を細くできる点である。
【００４９】
図１４および図１５は本発明の第３の実施形態を示している。なお、本実施形態において第１の実施形態と共通する部分については同一符号を付してその説明を省略する。
【００５０】
図１４は本実施形態に係るブレード部組８５を示している。このブレード部組８５は、金属製のブレード８６の両端部に半田を付着（固着）させることにより形成される。具体的には、半田が固着しにくい材質からなり且つ先端カバー３５の外径Ｄよりも大きい外径に設定された芯金（例えばアルミニウム製）を用意するとともに、この芯金の外周に金属製のブレード８６を被せる。そして、ブレード８６の先端側と基端側とに半田を固着させて固定部８７を形成する。この場合、半田付けは、図１４に示されるように、周方向のＦの範囲を除く長手方向の長さＥにわたって行なわれる。
【００５１】
このような構成のブレード部組８５の固定部８７は、その内径がＤ以上まで広がることができる。また、ブレード８６は固着されていないＦの範囲で弛むことができる。したがって、固定部８７は、固着した部分が突き当たるまでその径を縮めることができる。
【００５２】
内視鏡の修理時において外皮４４を外した時に、ブレード８６が損傷している場合には、ブレード部組８５の内径をＤ以上まで広げ、先端カバー３５を外すことなくブレード部組８５を先端側に抜き取れば良い。また、新しいブレード部組８５を取り付ける時には、ブレード部組８５の内径をＤ以上に広げて、先端カバー３５を通し、ブレード部組８５を湾曲用芯材４２に被せて固定すれば良い。第１および第２の実施形態と異なる本実施形態の有利な点は、リングをブレードにを被嵌して固定する必要がないため、挿入部８の外径をより細くでき、また、安価に製造できる点である。
【００５３】
図１５は本実施形態における内視鏡１の鉗子挿入口部２２を示している。図示のように、鉗子挿入口部２２および外装部材１３８の側部にはそれぞれ側部口１３９，１４０が設けられており、これらの側部口１３９，１４０には口金１４１が取り付けられている。この取付け状態において、口金１４１は鉗子チャンネル３６に連通される。口金１４１が嵌合される側部口１３９の内面部位には溝１４２が形成されており、この溝１４２にはＯリング１４３が配設されている。したがって、口金１４１における水密が確保される。
【００５４】
側部口１４０と口金１４１は対応したねじ部を有しており、ねじ部に接着剤を塗布して螺合することにより両者が水密的に固定される。口金１４１の外端はルアー形状に形成されており、例えばシリンジ１１９を接続することができるようになっている。また、鉗子挿入口部２２には鉗子栓１４５が取り付けられ、鉗子栓１４５の蓋部１４６には第１の実施形態と同様にチューブ１２０が一体に取り付けられている。また、口金１４１にシリンジ１１９などを接続しない時には、図示しないキャップが口金１４１に取り付けられる。これにより、水の逆流が防止される。
【００５５】
なお、以上説明してきた技術内容によれば、以下に示すような各種の構成が得られる。
【００５６】
１．挿入部に湾曲管部を有し、この湾曲管部は、湾曲用芯材と、この湾曲用芯材の外周に被嵌するブレード部組とを備えてなり、上記ブレード部組は、ブレードの端部を上記湾曲用芯材に対して着脱自在に固定するようにした内視鏡において、
上記ブレード部組の固定部に内径方向寸法を変化させる手段を設けたことを特徴とする内視鏡。
【００５７】
２．上記ブレード部組の固定部の内径寸法は、ブレード部組を固定する固定位置の外径と略同径から、湾曲管部より先端側の最大外径以上まで変化することを特徴とする第１項に記載の内視鏡。
３．上記内径方向寸法を変化させる手段は、上記ブレード部組の固定部とブレードとがその円周方向の少なくとも一部で固着されていないことによって達成されることを特徴とする第１項または第２項に記載の内視鏡。
【００５８】
４．上記ブレード部組の固定部が、円周方向の少なくとも一部が切り離された取り付け用部材にブレードを取り付けて形成したことを特徴とする第１項ないし第３項のいずれか１項に記載の内視鏡。
５．挿入部の処置具挿通用チャンネル（鉗子チャンネル）の挿入側口部に対して着脱自在に取り付けられる内視鏡用鉗子栓と、処置具を挿通した状態で上記処置具挿通用チャンネルへ送水を行なう送水手段とを備えた内視鏡において、
上記鉗子栓の逆流防止部材よりも手元側に、処置具のシース部を被嵌する部材を設けたことを特徴とする内視鏡。
【００５９】
６．上記被嵌する部材が伸縮性のチューブであることを特徴とする第５項に記載の内視鏡。
【００６０】
７．上記被嵌する部材の側部に開口部を設けたことを特徴とする第５項に記載の内視鏡。
【００６１】
【発明の効果】
以上説明したように、本発明の内視鏡によれば、挿入部の外径を太くすることなく、また、先端カバーを外すことなく、ブレード部組を簡単に交換することができる。
【図面の簡単な説明】
【図１】本発明の第１の実施形態に係る内視鏡を備えたシステムの概略構成図である。
【図２】図１に示された内視鏡の先端側の断面図である。
【図３】第１の実施形態に係るブレード部組の斜視図である。
【図４】（ａ）はブレード部組を構成するリングの断面図、（ｂ）は（ａ）のリングにブレードが固着されたブレード部組の断面図、（ｃ）は（ｂ）のブレード部組を内視鏡の固定側部材に取り付ける際の形状を示す断面図である。
【図５】ブレード部組と湾曲用芯材とからなる部組の斜視図である。
【図６】図１の内視鏡の先端部のノズル取付け部の断面図である。
【図７】図１の内視鏡の操作部に設けられた鉗子挿入口部の断面図である。
【図８】図７の鉗子挿入口部の側面図である。
【図９】本発明の第２の実施形態に係る内視鏡の先端側の断面図である。
【図１０】第２の実施形態に係るブレード部組の斜視図である。
【図１１】（ａ）はブレード部組を構成するリングの断面図、（ｂ）は（ａ）のリングにブレードを固着する際のブレード部組の断面図、（ｃ）はブレード部組の断面図である。
【図１２】図９の内視鏡の先端部のノズル取付け部の断面図である。
【図１３】図９の内視鏡の操作部に設けられた鉗子挿入口部の断面図である。
【図１４】本発明の第３の実施形態に係るブレード部組の斜視図である。
【図１５】本発明の第３の実施形態に係る内視鏡の操作部に設けられた鉗子挿入口部の断面図である。
【符号の説明】
１…内視鏡
８…挿入部
１２…湾曲管部
３１…先端部本体（固定側部材）
５１，５２，７２，７３…リング（固定部）
５３，７１，８５…ブレード部組
６２…スリット
８７…固定部
【図１】
0004334691.tif 000002
【図２】
0004334691.tif 000003
【図３】
0004334691.tif 000004
【図４】
0004334691.tif 000005
【図５】
0004334691.tif 000006
【図６】
0004334691.tif 000007
【図７】
0004334691.tif 000008
【図８】
0004334691.tif 000009
【図９】
0004334691.tif 000010
【図１０】
0004334691.tif 000011
【図１１】
0004334691.tif 000012
【図１２】
0004334691.tif 000013
【図１３】
0004334691.tif 000014
【図１４】
0004334691.tif 000015
【図１５】
0004334691.tif 000016